(57)【要約】【課題】アジャスタ仕様の商品陳列棚の後部側を、キャスタ仕様に、高さを大きく変えることなく容易に変更しうるようにする。【解決手段】左右の支柱１の下端におけるアジャスタ取付用のめねじ孔２４に、内側端部に支柱１及び水平脚杆５の下端よりも上方に位置する段差面１５を有し、この段差面１５の下面にキャスタ１７が取付けられたキャスタ取付部材１４の取付片１６を、外側端が下部連結杆３の直下において支柱１の内側面に当接するようにして、ボルト２３により固定する。【選択図】  図３
2008073470.tif 000002
【特許請求の範囲】
【請求項１】
下端にアジャスタが取付可能な左右１対の支柱と、両支柱の上端部同士と下端部同士を連結する上部連結杆及び下部連結杆と、前記両支柱の下端部に後端が固着され、前端部下面にアジャスタが取付可能な前方を向く左右１対の水平脚杆とを備える商品陳列棚において、
前記左右の支柱の下端部に、内側端部に前記支柱及び水平脚杆の下端よりも上方に位置する段差面を有し、この段差面の下面にキャスタが取付けられたキャスタ取付部材を、外側端が下部連結杆の直下において、前記支柱の内側面に当接するようにして、取付ねじにより固定したことを特徴とする商品陳列棚。
【請求項２】
キャスタ取付部材の下端に、外向きの取付片を連設し、この取付片を、支柱の下端におけるアジャスタ取付部に、ボルトにより固定してなる請求項１記載の商品陳列棚。
【請求項３】
キャスタ取付部材を、上端が開口する側面視上向コ字状断面のケース状をなすものとし、このキャスタ取付部材を、下部連結杆の両側端部の下面に下向き突設された連結部材に、下方より嵌合してなる請求項１または２記載の商品陳列棚。
【発明の詳細な説明】
【技術分野】
【０００１】
本発明は、スーパーマーケット等において使用される商品陳列棚に係わり、特に、アジャスタ仕様の通常の商品陳列棚を、必要に応じて、キャスタ仕様のものに変更しうるようにした商品陳列棚に関する。
【背景技術】
【０００２】
通常の商品陳列棚は、例えば特許文献１に記載されているように、支柱の下端及び前方を向く水平脚杆の前端下面に設けたねじ孔に、高さ調整用のアジャスタを取り付けているのが一般的である。
また、例えば特許文献２に記載されているように、上記アジャスタの他に、水平脚杆の内側面に固着した支持板の前後の端部にキャスタも取付け、アジャスタとキャスタとのどちらも使用可能とした商品陳列棚もある。
【特許文献１】特開２００５−１９２７６５号公報
【特許文献２】特開平１１−２４５号公報
【発明の開示】
【発明が解決しようとする課題】
【０００３】
上記特許文献１に記載されている商品陳列棚においては、キャスタ仕様の商品陳列棚とするときには、通常、アジャスタを取り外してキャスタに交換している。
このようにすると、商品陳列棚の全高が高くなるため、陳列商品や広告用看板等の高さも高くなり、アジャスタ仕様の商品陳列棚と並設する際に、高さが揃わず、違和感が生じる。
【０００４】
特許文献２に記載の商品陳列棚は、水平脚杆に、キャスタ取付用の支持板を固着する必要があるため、水平脚杆を他の一般的なものと共通化することができず、商品陳列棚のコストが大となる。
【０００５】
本発明は、上記問題点に鑑みてなされたもので、アジャスタ仕様の商品陳列棚の後部側を、キャスタ仕様に、高さを大きく変えることなく比較的容易に変更しうるようにした商品陳列棚を提供することを目的としている。
【課題を解決するための手段】
【０００６】
本発明によると、上記課題は、次のようにして解決される。
（１）下端にアジャスタが取付可能な左右１対の支柱と、両支柱の上端部同士と下端部同士を連結する上部連結杆及び下部連結杆と、前記両支柱の下端部に後端が固着され、前端部下面にアジャスタが取付可能な前方を向く左右１対の水平脚杆とを備える商品陳列棚において、前記左右の支柱の下端部に、内側端部に前記支柱及び水平脚杆の下端よりも上方に位置する段差面を有し、この段差面の下面にキャスタが取付けられたキャスタ取付部材を、外側端が下部連結杆の直下において、前記支柱の内側面に当接するようにして、取付ねじにより固定する。
【０００７】
（２）上記(１)項において、キャスタ取付部材の下端に、外向きの取付片を連設し、この取付片を、支柱の下端におけるアジャスタ取付部に、ボルトにより固定する。
【０００８】
（３）上記(１)または(２)項において、キャスタ取付部材を、上端が開口する側面視上向コ字状断面のケース状をなすものとし、このキャスタ取付部材を、下部連結杆の両側端部の下面に下向き突設された連結部材に、下方より嵌合する。
【発明の効果】
【０００９】
請求項１記載の発明によれば、左右の支柱の下端部に、キャスタを取り付けたキャスタ取付部材を、外側端が支柱の内側面に当接するように、取付ねじにより固定するだけで、アジャスタ仕様の商品陳列棚の後部側を、容易にキャスタ仕様に変更することができる。
また、キャスタは、キャスタ取付部材の内側端部の段差面の下面に取り付けられており、キャスタの下方への突出寸法が小さくなるので、商品陳列棚の全高が大きく変わることはない。従って、アジャスタ仕様の商品陳列棚と並設しても、違和感が生じることはない。
【００１０】
請求項２記載の発明によれば、キャスタ取付部材を、支柱の下端のアジャスタ取付部を利用して固定しうるので、支柱や下部連結杆に何らの加工を施す必要はなく、簡単にキャスタ仕様に変更することができる。
【００１１】
請求項３記載の発明によれば、キャスタ取付部材は、下部連結杆に下向き突設した連結部材に嵌合されているので、前後方向にぐらつく恐れはない。
【発明を実施するための最良の形態】
【００１２】
以下、本発明の実施形態を、図面に基づいて説明する。
図１は、本発明の商品陳列棚の斜視図で、角管状をなす左右の支柱(１)(１)における上端部と下端部の対向面同士は、それぞれ上部連結杆(２)と下部連結杆(３)とにより連結され、隣接する支柱(１)(１)と上下の連結杆(２)(３)により囲まれた枠状空間には、背板(４)が嵌め込まれている。
【００１３】
各支柱(１)の下端の前面には、前後方向を向く角管状の水平脚杆(５)の後端が固着されている。
各支柱(１)の前面に列設された係合孔(６)には、左右１対のブラケット(７)(７)を介して、複数の棚板(８)が支持されている。
左右の水平脚杆（５）には、図示しないベース棚板が取り付けられる。なお、右方に並設された商品陳列棚は、左方の商品陳列棚における右方の支柱（１）と水平脚杆（５）とを共用している。
【００１４】
以上が一般的な商品陳列棚の基本構造で、通常、支柱(１)の下端と水平脚杆(５)の前端部下面には、高さ調整用のアジャスタが取り付けられる。
【００１５】
左右の水平脚杆(５)における前端部の対向面同士は、前部連結杆(９)により連結されている。
図２に示すように、下部連結杆(３)は、側面視下向コ字状をなすとともに、上面中央には、背板(４)の下端部が嵌合される凹溝(10)が形成されている。下部連結杆(３)の左右両端部の下面（左右対称で同一構造につき、左方のみ説明する）には、側面視上向コ字状をなす連結部材（11）の上端に連設された、前後外向きの水平片(11a)(11a)が固着されている。
【００１６】
連結部材(11)における前後の垂直片(11b)(11b)の側端中央部には、下向鉤状の係合爪(12)(12)が突設され、この係合爪(12)を、支柱(１)の内側面の下端部寄りに形成された係合孔（13）(13)に係合することにより、左右の支柱(１)の下端部が下部連結杆(３)により連結されている。連結後において、連結部材(11)の側端は、支柱(１)の内側面に当接又は近接するとともに、同じく下端面は、支柱(１)の下端よりも上方に位置するようになっている。
【００１７】
図３及び図４に示すように、下部連結杆(３)の左端部の下面には、キャスタ取付部材(14)が、次のようにして取り付けられている。
キャスタ取付部材(14)は、上端と外側端が開口する側面視上向コ字状断面のケース状をなすとともに、外側端部の上下寸法を、内側端部のそれよりも長寸とすることにより、内側端部に、下面が支柱(１)及び水平脚杆(５)の下端よりも上方に位置する上向きの段差面(15)が形成されている。この段差面(15)は、後記するキャスタ(17)の取付面となっている。
【００１８】
キャスタ取付部材(14)における前後の垂直片(14a)(14a)の対向面間の寸法は、上記連結部材(11)の前後寸法とほぼ等しく、この連結部材(11)に、キャスタ取付部材(14)の外側端部が下方よりがたなく嵌合されるようになっている（図４参照）。
キャスタ取付部材(14)の外側端部の下端面には、外側方を向く取付片(16)が連設されている。
【００１９】
キャスタ取付部材(14)の段差面(15)には、ストッパ付きのキャスタ(17)が、そのねじ軸(18)を、段差面(15)の取付孔(19)に挿通し、上方より、ワッシャ(20)を介してナット(21)を螺着することにより、取り付けられている。
【００２０】
キャスタ取付部材(14)は、その外側端部を、連結部材(11)に、取付片(16)が支柱(１)の下端と当接するまで下方より嵌合した後、取付片(16)の取付孔(22)に下方より挿入した、取付ねじであるボルト(23)を、支柱(１)の下端に設けられたアジャスタ取付用のめねじ孔(24)に螺合することにより、下部連結杆(３)の側端部の直下に位置するように取り付けられている。
この取付後において、キャスタ(17)は、キャスタ取付部材(14)の段差面(15)に取り付けられているので、下方に大きく突出することはなく、支柱(１)及び水平脚杆(５)の下端よりも若干突出する程度となる。
【００２１】
また、取付後において、キャスタ取付部材(14)の外側端は、支柱(１)の内側面に当接し、キャスタ(17)を介してキャスタ取付部材(14)に加わる上向きの荷重が、支柱(１)の内側面により受けられることにより、キャスタ(17)による上向荷重が、下部連結杆(３)に直接加わらないようになっている。従って、下部連結杆(３)の係合爪(12)が、支柱(１)の係合孔(13)より外れることはない。
さらに、キャスタ取付部材(14)をケース状として、下部連結部材(３)の下面より突出する連結部材（11）に嵌合しているので、前後方向にぐらつくのが防止される。
【００２２】
図５に示すように、下部連結杆(３)の右側端部の下面にも、上記キャスタ取付部材(14)と左右対称をなすキャスタ取付部材(14)が固定され、この段差面(15)にキャスタ(17)が取り付けられている。なお、部品点数を減らすために、隣接する商品陳列棚の左右のキャスタ取付部材(14)(14)は、互いの取付片(16)を共通化して一体的に結合されている。
【００２３】
一体をなす左右のキャスタ取付部材(14)(14)は、共通の取付片(16)の取付孔(22)に挿通したボルト(23)を、上記と同様、支柱(１)の下端におけるアジャスタ取付用のめねじ孔(24)に螺合することにより、支柱(１)を挟むようにして固定されている。
【００２４】
図６に示すように、上記前部連結杆(９)は、上下寸法が水平脚杆(５)のそれとほぼ等しい前面板(9a)と、その上端に連設された短寸の後向水平片(9b)と、この後向水平片(9b)の後端に連設された側面視Ｌ字状の上片(9C)とにより、側面視概ね倒立Ｌ字状をなすように、１枚の鋼板を折り曲げて形成されている。
【００２５】
上片(9C)の両側端の下面（左右対称であるため、左方のみ図示する）には、下向片(25a)の下端に外向水平片(25b)を有する取付片(25)が、その上端の内向水平片(25c)を溶接することにより、前部連結杆(９)の側端と同一面に整合するように固着されている。
【００２６】
左右の取付片(25)の外向水平片(25b)を、水平脚杆(５)の前端部下面に当接させて、それに設けた通孔(26)に外側方より挿入したボルト(27)を、取付片(25)の取付孔(28)に挿通し、突出端部にナット(29)を螺合することにより、前部連結杆(９)は、左右の水平脚杆(５)における前端部の対向面に、後向水平片(9b)と上片(9C)とが水平脚杆(５)の上端部に位置するようにして固着されいる。
(30)は、水平脚杆(５)の前端部下面に形成されているアジャスタ取付用のめねじ孔である。
【００２７】
前部連結杆(９)における上片(9C)の側端部下面には、キャスタ(17)が、そのねじ軸(18)を上片(9C)の水平面に形成した取付孔(31)に挿入し、突出端部に、ワッシャ(20)を介してナット(21)を螺合することにより、前部連結杆(９)の下方に若干突出するようにして取り付けられている（図１参照）。
なお、取付片(25)の外向水平片(25b)は、水平脚杆(５)の下面に当接しているので、キャスタ(17)を介して前部連結杆(９)に加わる上向荷重は、水平脚杆(５)により受けることができる。
【００２８】
以上説明したように、上記実施形態の商品陳列棚においては、キャスタ(17)を取り付けたキャスタ取付部材(14)を、下部連結杆(３)の側端部の直下に、支柱(１)の下端のアジャスタ取付用のめねじ孔(24)を利用して取り付けるだけで、一般的な商品陳列棚の後部側を容易にキャスタ仕様のものに変更することができる。
【００２９】
また、前部側においても、側面視概ね倒立Ｌ字状をなす前部連結杆(９)の上片(9C)の側端部下面に、キャスタ(17)を取り付けた後、前部連結杆(９)の両側端の取付片(25)を、水平脚杆(５)の前端部の対向面にボルト(27)とナット(29)により固定するだけで、容易にキャスタ仕様の商品陳列棚に変更することができる。
【００３０】
しかも、後部側と前部側のいずれにおいても、キャスタ(17)は、キャスタ取付部材(14)における支柱(１)及び水平脚杆(５)の下端よりも上方に位置する段差面(15)の下面、及び前部連結杆(９)における水平脚杆(５)の下端よりも上方に位置する上片(9C)の下面にそれぞれ取り付けられているので、キャスタ仕様としても商品陳列棚の全高が高くなることはない。
【００３１】
なお、商品陳列棚の前部側と後部側のいずれか一方のみをキャスタ仕様として、他方は、通常のアジャスタ仕様とすることもある。
【図面の簡単な説明】
【００３２】
【図１】本発明を適用した商品陳列棚の斜視図である。
【図２】同じく、支柱と下部連結杆との連結部の分解斜視図である。
【図３】同じく、下部連結杆とキャスタ取付部材の分解斜視図である。
【図４】図３におけるキャスタ取付後のＩＶ−ＩＶ線縦断側面図である。
【図５】隣接する商品陳列棚における左右の下部連結杆とキャスタ取付部材の分解斜視図である。
【図６】前部連結杆と水平脚杆との取付部の斜視図である。
【符号の説明】
【００３３】
(１)支柱
(２)上部連結杆
(３)下部連結杆
(４)背板
(５)水平脚杆
(６)係合孔
(７)ブラケット
(８)棚板
(９)前部連結杆
(9a)前面板
(9b)後向水平片
(9C)上片
(10)凹溝
(11)連結部材
(11a)水平片
(11b)垂直片
(12)係合爪
(13)係合孔
(14)キャスタ取付部材
(14a)垂直片
(15)段差面
(16)取付片
(17)キャスタ
(18)ねじ軸
(19)取付孔
(20)ワッシャ
(21)ナット
(22)取付孔
(23)ボルト
(24)めねじ孔
(25)取付片
(25a)下向片
(25b)外向水平片
(25c)内向水平片
(26)通孔
(27)ボルト
(28)取付孔
(29)ナット
(30)めねじ孔
(31)取付孔
【図１】
2008073470.tif 000003
【図２】
2008073470.tif 000004
【図３】
2008073470.tif 000005
【図４】
2008073470.tif 000006
【図５】
2008073470.tif 000007
【図６】
2008073470.tif 000008